(57)【要約】【課題】ＲＦ−ＩＤメディアが装着された対象物に対してその状況に応じて異なる角度から情報書込／読出装置のアンテナを対向させた場合であっても情報の書き込み及び読み出しを行う。【解決手段】オーバーシート２０及びインレット１０からなる基材を、折り曲げ可能な折り線２を介して２つの領域１ａ，１ｂに分割し、一方の領域１ａに、ＩＣチップ１１が搭載されるとともにＩＣチップ１１と接続されたアンテナ１２が搭載されたインレット１０を設け、他方の領域１ｂのオーバーシート２０上に、インレット１０に形成されたアンテナ１２との間にて電磁誘導が生じるアンテナ２２を形成する。【選択図】  図１
2004318571.tif 000002
【特許請求の範囲】
【請求項１】
複数の層が積層されてなる基材と、該基材に互いに電磁誘導が生じるように形成されたコイル状の第１及び第２のアンテナと、前記第１のアンテナと接続されて前記基材に搭載され、前記第１のアンテナを介して非接触状態にて情報の書き込み及び読み出しが行われるＩＣチップとを少なくとも有してなるＲＦ−ＩＤメディアであって、
前記基材は、互いに隣接する２つの領域を有し、該２つの領域が互いに異なる方向に向くように折り曲げ可能に構成され、
前記第１のアンテナは、前記２つの領域のうち一方の領域に形成され、
前記第２のアンテナは、前記２つの領域のうち他方の領域に形成されていることを特徴とするＲＦ−ＩＤメディア。
【請求項２】
請求項１に記載のＲＦ−ＩＤメディアにおいて、
前記基材は、透明な材料からなり、
前記第１及び第２のアンテナは、透明性導電体で構成されていることを特徴とするＲＦ−ＩＤメディア。
【請求項３】
ベース基材上にコイル状の第１のアンテナが形成されるとともに前記第１のアンテナを介して非接触状態にて情報の書き込み及び読み出しが可能なＩＣチップが搭載されたインレットに、前記第１のアンテナとの間にて電磁誘導が生じるようなコイル状の第２のアンテナが形成されたオーバーシートが積層されてなるＲＦ−ＩＤメディアの製造方法であって、
前記オーバーシートに前記第２のアンテナを形成する工程と、
前記第２のアンテナが形成されたオーバーシートに対して、前記第１のアンテナが前記第２のアンテナと隣接するように前記インレットを積層する工程とを有することを特徴とするＲＦ−ＩＤメディアの製造方法。
【発明の詳細な説明】
【０００１】
【発明の属する技術分野】
本発明は、非接触状態にて情報の書き込み及び読み出しが可能な非接触型ＩＣラベル等のＲＦ−ＩＤメディア及びＲＦ−ＩＤメディアの製造方法に関する。
【０００２】
【従来の技術】
近年、情報化社会の進展に伴って、情報をカードに記録し、該カードを用いた情報管理や決済等が行われている。また、商品等に貼付されるラベルに情報を記録し、このラベルを用いての商品等の管理も行われている。
【０００３】
このようなカードやラベルを用いた情報管理においては、カードやラベルに対して非接触状態にて情報の書き込み及び読み出しを行うことが可能なＩＣが搭載された非接触型ＩＣカードや非接触型ＩＣラベル等のＲＦ−ＩＤメディアがその優れた利便性から急速な普及が進みつつある。
【０００４】
図６は、従来の非接触型ＩＣラベルの構造の一例を示す図である。
【０００５】
本従来例における非接触型ＩＣラベルは図６に示すように、樹脂シート等のベース基材５５０上に、外部からの情報の書き込み及び読み出しが可能なＩＣチップ５１０が搭載されるとともに、接点５４０を介してＩＣチップ５１０と接続され、外部に設けられた情報書込／読出装置（不図示）からの電磁誘導によりＩＣチップ５１０に電流を供給し、ＩＣチップ５１０に対する情報の書き込み及び読み出しを非接触状態にて行うための導電性のアンテナ５２０がコイル状に形成されて構成されている。
【０００６】
上記のように構成された非接触型ＩＣラベル５００においては、外部に設けられた情報書込／読出装置に近接すると、情報書込／読出装置からの電磁誘導によりアンテナ５２０に電流が流れ、この電流がＩＣチップ５１０に供給され、それにより、非接触状態において、情報書込／読出装置からＩＣチップ５１０に情報が書き込まれたり、ＩＣチップ５１０に書き込まれた情報が情報書込／読出装置にて読み出されたりする。
【０００７】
図７は、図６に示した非接触型ＩＣラベル５００に対する情報の書き込み及び読み出し動作の原理を説明するための図である。
【０００８】
外部に設けられた情報書込／読出装置によって図６に示した非接触型ＩＣラベル５００に対して情報の書き込みあるいは読み出しが行われる場合、図７に示すように、情報書込／読出装置のコイル状のアンテナ６００に電流が流れ、それにより、アンテナ６００のコイル状のコア部分から放出される方向に磁界Ｈが発生する。
【０００９】
この状態で、非接触型ＩＣラベル５００を情報書込／読出装置のアンテナ６００に近接させると、情報書込／読出装置のアンテナ６００を流れる電流によって発生した磁界Ｈが、非接触型ＩＣラベル５００のアンテナ５２０のコイル状のコア部分を貫通し、それにより、アンテナ５２０に電流が流れる。
【００１０】
アンテナ５２０に流れる電流は、非接触型ＩＣラベル５００のＩＣチップ５１０に接点５４０を介して供給され、それにより、非接触状態において、情報書込／読出装置からＩＣチップ５１０に情報が書き込まれたり、ＩＣチップ５１０に書き込まれた情報が情報書込／読出装置にて読み出されたりする。
【００１１】
上述したような非接触型ＩＣラベル５００等のようなＲＦ−ＩＤメディアは、例えば、書籍の物流あるいは在庫管理に利用することができる。その場合、ＲＦ−ＩＤメディアを用いた書籍の管理方法として、例えば、書籍の背表紙と綴じ部との間に、固有なタグＩＤが書き込まれたＲＦ−ＩＤメディアを装着しておき、このタグＩＤによって書籍の物流あるいは在庫管理を行うことが考えられている（例えば、特許文献１参照。）。
【００１２】
また、上述したようなＲＦ−ＩＤメディアに、コイル状のアンテナをコア部分に含むようなコイル形状を有する補助アンテナを設け、それにより、通信可能距離を延ばす技術が考えられている（例えば、特許文献２参照。）。上述したようなＲＦ−ＩＤメディアにおいては、コイル状の補助アンテナを設けた場合、ＲＦ−ＩＤメディアを情報書込／読出装置に近づけると、情報書込／読出装置のアンテナを流れる電流によって発生した磁界が、ＲＦ−ＩＤメディアに設けられた補助アンテナのコア部分を貫通し、それにより、補助アンテナに電流が流れる。さらに、補助アンテナに流れる電流によって磁界が発生し、この磁界に対してコイル状のアンテナが共振を起こし、この共振によりコイル状のアンテナの共振信号が増幅され、ＲＦ−ＩＤメディアの通信可能距離が延びることになる。
【００１３】
【特許文献１】
特開２００３−６３６５５号公報
【特許文献２】
特開２００１−１６８６２８号公報
【００１４】
【発明が解決しようとする課題】
上述したような従来のＲＦ−ＩＤメディアにおいては、情報書込／読出装置のコイル状のアンテナを流れる電流によってコイル状のコア部分から放出される方向に発生した磁界がＲＦ−ＩＤメディアのコイル状のアンテナのコア部分を貫通することにより、ＲＦ−ＩＤメディアのアンテナに電流が流れ、この電流がＲＦ−ＩＤメディアのＩＣチップに供給され、情報の書き込みあるいは読み出しが行われることになるが、情報書込／読出装置のアンテナとＲＦ−ＩＤメディアのアンテナとを対向させた場合と、情報書込／読出装置のアンテナとＲＦ−ＩＤメディアのアンテナとを互いに垂直となるように配置した場合とでは、情報書込／読出装置とＲＦ−ＩＤメディアとの間における通信可能距離が大きく異なる。
【００１５】
図８は、図６に示した非接触型ＩＣラベル５００を情報書込／読出装置のアンテナに対して垂直に配置した場合における非接触型ＩＣラベル５００に対する情報の書き込み及び読み出し動作の原理を説明するための図である。
【００１６】
図８に示すように、非接触型ＩＣラベル５００を情報書込／読出装置のアンテナ６００に対して垂直になるように配置した場合は、非接触型ＩＣラベル５００を情報書込／読出装置のアンテナ６００にかなり近接させなければ、情報書込／読出装置のアンテナ６００を流れる電流によって発生した磁界Ｈが非接触型ＩＣラベル５００のアンテナ５２０のコイル状のコア部分を貫通するようにならず、なおかつ、その磁束量も少ない。
【００１７】
これにより、情報書込／読出装置のアンテナとＲＦ−ＩＤメディアのアンテナとを互いに垂直となるように配置した場合は、情報書込／読出装置のアンテナとＲＦ−ＩＤメディアのアンテナとを対向させた場合と比べて、情報書込／読出装置とＲＦ−ＩＤメディアとの間の通信可能距離が極めて短いものとなってしまう。
【００１８】
そのため、ＲＦ−ＩＤメディアに対して情報の書き込みあるいは読み出しを行う場合においては、情報書込／読出装置のアンテナとＲＦ−ＩＤメディアとを対向させなければならない。
【００１９】
これは、上述したようにＲＦ−ＩＤメディアにコイル状の補助アンテナを設けた場合においても同様であり、ＲＦ−ＩＤメディアに設けられたアンテナ及び補助アンテナを情報書込／読出装置のアンテナと対向させなければ情報書込／読出装置とＲＦ−ＩＤメディアとの間の通信可能距離を延ばすことはできない。
【００２０】
ここで、上述したように、ＲＦ−ＩＤメディアの利用方法として、ＲＦ−ＩＤメディアを書籍に装着し、このＲＦ−ＩＤメディアを用いて書籍の物流あるいは在庫管理を行う場合、ＲＦ−ＩＤメディアが書籍の背表紙側に装着されていると、情報書込／読出装置のアンテナを書籍の背表紙に対向するように配置すればＲＦ−ＩＤメディアに対する情報の書き込みや読み出しを行うことができるが、情報書込／読出装置のアンテナを書籍の表紙に対向するように配置した場合、ＲＦ−ＩＤメディアに対する情報の書き込みや読み出しを行うことができなくなってしまう。書籍の物流あるいは在庫管理においては、例えば、書籍が本棚に収納された状態では、書籍の背表紙に情報書込／読出装置のアンテナを対向させることが容易にでき、また、書籍が机上に積み重ねられた状態では、書籍の表紙に情報書込／読出装置のアンテナを対向させることが容易にできる。そのため、上述したように、情報書込／読出装置のアンテナとＲＦ−ＩＤメディアとの相対角度に制約が生じてしまう場合、書籍管理等のような、ＲＦ−ＩＤメディアが装着された対象物に対してその状況に応じて異なる角度から情報書込／読出装置のアンテナを対向させることが考えられるものにおいては、ＲＦ−ＩＤメディアを利用した管理等を行うことが困難となってしまうという問題点がある。
【００２１】
本発明は、上述したような従来の技術が有する問題点に鑑みてなされたものであって、ＲＦ−ＩＤメディアが装着された対象物に対してその状況に応じて異なる角度から情報書込／読出装置のアンテナを対向させた場合であっても情報の書き込み及び読み出しを行うことができるＲＦ−ＩＤメディア及びＲＦ−ＩＤメディアの製造方法を提供することを目的とする。
【００２２】
【課題を解決するための手段】
上記目的を達成するために本発明は、
複数の層が積層されてなる基材と、該基材に互いに電磁誘導が生じるように形成されたコイル状の第１及び第２のアンテナと、前記第１のアンテナと接続されて前記基材に搭載され、前記第１のアンテナを介して非接触状態にて情報の書き込み及び読み出しが行われるＩＣチップとを少なくとも有してなるＲＦ−ＩＤメディアであって、
前記基材は、互いに隣接する２つの領域を有し、該２つの領域が互いに異なる方向に向くように折り曲げ可能に構成され、
前記第１のアンテナは、前記２つの領域のうち一方の領域に形成され、
前記第２のアンテナは、前記２つの領域のうち他方の領域に形成されていることを特徴とする。
【００２３】
また、前記基材は、透明な材料からなり、
前記第１及び第２のアンテナは、透明性導電体で構成されていることを特徴とする。
【００２４】
また、ベース基材上にコイル状の第１のアンテナが形成されるとともに前記第１のアンテナを介して非接触状態にて情報の書き込み及び読み出しが可能なＩＣチップが搭載されたインレットに、前記第１のアンテナとの間にて電磁誘導が生じるようなコイル状の第２のアンテナが形成されたオーバーシートが積層されてなるＲＦ−ＩＤメディアの製造方法であって、
前記オーバーシートに前記第２のアンテナを形成する工程と、
前記第２のアンテナが形成されたオーバーシートに対して、前記第１のアンテナが前記第２のアンテナと隣接するように前記インレットを積層する工程とを有することを特徴とする。
【００２５】
（作用）
上記のように構成された本発明においては、互いに電磁誘導が生じるように形成された第１及び第２のアンテナのうち一方のアンテナが形成された領域を、例えば、書籍等の背表紙に貼付し、さらに基材を折り曲げ、他方のアンテナが形成された領域を、書籍等の表紙に貼付するというように、第１及び第２のアンテナが互いに異なる方向に向くように書籍等の対象物に貼付すれば、情報書込／読出装置のアンテナを、ＩＣチップと接続された第１のアンテナと対向させた場合は、情報書込／読出装置からの電磁誘導により第１のアンテナに電流が流れ、この電流がＩＣチップに供給され、それにより、情報書込／読出装置からＩＣチップに情報が書き込まれたり、ＩＣチップに書き込まれた情報が情報書込／読出装置にて読み出されたりし、また、情報書込／読出装置のアンテナを第２のアンテナと対向させた場合は、情報書込／読出装置からの電磁誘導により第２のアンテナに電流が流れ、この電流により生じる磁界によって、第１のアンテナに電流が流れ、この電流がＩＣチップに供給され、それにより、情報書込／読出装置からＩＣチップに情報が書き込まれたり、ＩＣチップに書き込まれた情報が情報書込／読出装置にて読み出されたりする。
【００２６】
このように、互いに電磁誘導が生じるように設けられた第１及び第２のアンテナが、折り曲げ可能な基材の互いに隣接する２つの領域のうち一方ずつにそれぞれ形成されているので、基材を折り曲げ、アンテナが形成された２つの領域が互いに異なる方向に向くように対象物に貼付した場合、第１のアンテナに対向する方向からの情報の書き込み及び読み出しはもちろんのこと、第２のアンテナに対向する方向から情報の書き込み及び読み出しをも行うことができるようになる。また、第１のアンテナと第２のアンテナとが基材に一体となって搭載されているので、第１のアンテナと第２のアンテナとの距離が一定に保たれ、第１のアンテナと第２のアンテナとの間における所定の共振が安定して行われることとなる。
【００２７】
また、基材を透明な材料から構成し、第１及び第２のアンテナを、透明性導電体で構成すれば、ＲＦ−ＩＤメディアを書籍等の対象物に貼付した場合においても、対象物に記載された情報がＲＦ−ＩＤメディアによって隠れて見えなくなってしまうことがなくなる。
【００２８】
また、ベース基材上にコイル状の第１のアンテナが形成されるとともに第１のアンテナを介して非接触状態にて情報の書き込み及び読み出しが可能なＩＣチップが搭載されたインレットに、第１のアンテナとの間にて電磁誘導が生じるようなコイル状の第２のアンテナが形成されたオーバーシートが積層されてなるＲＦ−ＩＤメディアを製造する場合に、オーバーシートに第２のアンテナを予め形成しておき、第２のアンテナが形成されたオーバーシートに対して、第１のアンテナが第２のアンテナと隣接するようにインレットを積層することによりＲＦ−ＩＤメディアを製造すれば、インレットに第２のアンテナを形成する必要がなく、ベース基材上に第１のアンテナが形成されるとともにＩＣチップが搭載されたインレットを汎用的に利用することができる。
【００２９】
【発明の実施の形態】
以下に、本発明の実施の形態について図面を参照して説明する。
【００３０】
（第１の実施の形態）
図１は、本発明のＲＦ−ＩＤメディアの第１の実施の形態である非接触型ＩＣラベルを示す図であり、（ａ）は内部構造を示す図、（ｂ）は（ａ）に示したＡ−Ａ’断面図である。
【００３１】
本形態は図１に示すように、一方の面に粘着層３０ａが形成された紙等のオーバーシート２０が折り曲げ可能な折り線２を介して互いに隣接する２つの領域１ａ，１ｂに分割され、その一方の領域１ａに、ベース基材となる樹脂シート１４上に、外部からの情報の書き込み及び読み出しが可能なＩＣチップ１１が搭載されるとともに、接点１３を介してＩＣチップ１１と接続され、外部に設けられた情報書込／読出装置（不図示）からの電磁誘導によりＩＣチップ１１に電流を供給し、ＩＣチップ１１に対する情報の書き込み及び読み出しを非接触状態にて行うための導電性を有するコイル状の第１のアンテナ１２が形成されたインレット１０が粘着層３０ａを介して接着され、また、他方の領域１ｂにコイル状の第２のアンテナ２２が形成され、さらに、インレット１０の裏面に形成された粘着層３０ｂとオーバーシート２０の裏面に形成された粘着層３０ａによって、インレット１０及びオーバーシート２０に剥離可能に貼付された剥離紙４０とから構成されている。なお、インレット１０に形成されたアンテナ１２においては、インレット１０がオーバーシート２０に接着された際に、アンテナ２２との間にて電磁誘導が生じ、アンテナ２２を流れる電流によって生じた磁界によって電流が流れるような領域に形成されている。また、本形態においては、オーバーシート２０、粘着層３０ａ及びインレット１０から基材が構成されている。なお、アンテナ１２とアンテナ２２との最外周の最短距離は、本形態においては１ｃｍである。この間隔が大きくなると電磁誘導における共振の効率が低下するため、アンテナ１２，２２のサイズにもよるが、約２ｃｍ以下にすることが好ましい。
【００３２】
以下に、上記のように構成された非接触型ＩＣラベルの製造方法について説明する。
【００３３】
図２は、図１に示した非接触型ＩＣラベルの製造方法を説明するための図である。
【００３４】
まず、連続紙状のオーバーシート２０の一方の面における領域１ｂとなる部分に、導電性を有するコイル状のアンテナ２２を印刷等によって形成する（図２（ａ））。なお、アンテナ２２は、領域１ｂとなる部分に形成されることになるため、そのピッチｔは、製造される非接触型ＩＣラベルの幅以上とする必要がある。また、この際、ミシン目加工や切り込み等によってオーバーシート２０に折り線２を形成しておく。なお、折り線２においては、領域１ａと領域１ｂとが互いに異なる方向に向くようにオーバーシート２０が折り曲げ可能であればよいため、オーバーシート２０の材質によっては必ずしもミシン目加工等によって形成しておく必要はない。
【００３５】
次に、オーバーシート２０のアンテナ２２が形成された面に粘着層３０ａを形成する（図２（ｂ））。なお、粘着層３０ａは、オーバーシート２０のアンテナ２２が形成されていない面に形成することも考えられる。
【００３６】
次に、オーバーシート２０の粘着層３０ａが形成された面と剥離紙４０との間に、領域１ａとなる部分、すなわち、アンテナ２２間に配置されるようにインレット１０を挟み込む（図２（ｃ））。なお、インレット１０は、樹脂シート１４上に、外部からの情報の書き込み及び読み出しが可能なＩＣチップ１１が搭載されるとともに、接点１３を介してＩＣチップ１１と接続され、外部に設けられた情報書込／読出装置（不図示）からの電磁誘導によりＩＣチップ１１に電流を供給し、ＩＣチップ１１に対する情報の書き込み及び読み出しを非接触状態にて行うための導電性を有するコイル状のアンテナ１２が形成され、さらに、樹脂シート１４のＩＣチップ１１が搭載されていない面に粘着層３０ｂが形成されることにより予め作製されており、粘着層３０ｂが剥離紙４０側となるように、オーバーシート２０と剥離紙４０との間に挟み込まれる。
【００３７】
これにより、領域１ａとなる部分においては、オーバーシート２０に形成された粘着層３０ａによってオーバーシート２０とインレット１０とが接着され、インレット１０に形成された粘着層３０ｂによってインレット１０と剥離紙４０とが接着される。また、領域１ｂとなる部分においては、粘着層３０ａによってオーバーシート２０と剥離紙４０とが接着される（図２（ｄ））。
【００３８】
その後、インレット１０を挟み込んで接着されたオーバーシート２０及び剥離紙４０を、非接触型ＩＣラベルの幅に断裁する（図２（ｅ））。なお、ＩＣチップ１１への情報の書き込みや表出面への情報の印刷や印字等を連続して行うために、オーバーシート２０及び剥離紙４０を完全に断裁するのではなく、剥離紙４０のみが連接した状態となるようにスリットを形成することも考えられる。
【００３９】
以下に、上記のように製造された非接触型ＩＣラベルの作用について、非接触型ＩＣラベルを書籍に貼付し、この非接触型ＩＣラベルを用いて書籍管理を行う場合を例に挙げて説明する。
【００４０】
図３は、図１に示した非接触型ＩＣラベルの作用を説明するための図であり、（ａ）は情報書込／読出装置のアンテナを第１のアンテナ１２が形成された領域１ａに対向させた状態を示す図、（ｂ）は情報書込／読出装置のアンテナを第２のアンテナ２２が形成された領域１ｂに対向させた状態を示す図である。
【００４１】
図３に示すように、図１に示した非接触型ＩＣラベルを、アンテナ１２が形成された領域１ａを書籍５０の背表紙に貼付し、さらに、折り線２にて折り曲げ、アンテナ２２が形成された領域１ｂを書籍５０の表紙に貼付する。
【００４２】
このように非接触型ＩＣラベルを書籍５０に貼付し、例えば、書籍５０が本棚に収納された状態等において、図３（ａ）に示すように、書籍５０の背表紙に情報書込／読出装置のアンテナ６０を対向させると、情報書込／読出装置からの電磁誘導によりアンテナ１２に電流が流れ、この電流がＩＣチップ１１に供給され、それにより、情報書込／読出装置からアンテナ１２を介してＩＣチップ１１に情報が書き込まれたり、ＩＣチップ１１に書き込まれた情報がアンテナ１２を介して情報書込／読出装置にて読み出されたりする。
【００４３】
また、例えば、書籍５０が机上に積み重ねられた状態等において、図３（ｂ）に示すように、書籍５０の表紙に情報書込／読出装置のアンテナ６０を対向させると、情報書込／読出装置からの電磁誘導によりアンテナ２２に電流が流れる。ここで、インレット１０に形成されたアンテナ１２は、インレット１０がオーバーシート２０に接着された際に、アンテナ２２を流れる電流によって生じた磁界によって電流が流れるような領域に形成されているため、アンテナ２２に電流が流れると、その電流により生じる磁界によって電流が流れる。そして、アンテナ１２を流れる電流がＩＣチップ１１に供給され、それにより、情報書込／読出装置からアンテナ２２，１２を介してＩＣチップ１１に情報が書き込まれたり、ＩＣチップ１１に書き込まれた情報がアンテナ１２，２２を介して情報書込／読出装置にて読み出されたりする。
【００４４】
（第２の実施の形態）
図４は、本発明のＲＦ−ＩＤメディアの第２の実施の形態である非接触型ＩＣラベルを示す図であり、（ａ）は内部構造を示す図、（ｂ）は（ａ）に示したＡ−Ａ’断面図である。
【００４５】
本形態は図４に示すように、樹脂シート１１４上に、外部からの情報の書き込み及び読み出しが可能なＩＣチップ１１１が搭載されるとともに、接点１１３を介してＩＣチップ１１１と接続され、外部に設けられた情報書込／読出装置（不図示）からの電磁誘導によりＩＣチップ１１１に電流を供給し、ＩＣチップ１１１に対する情報の書き込み及び読み出しを非接触状態にて行うための導電性を有するコイル状のアンテナ１１２が形成され、さらに、アンテナ１１２と隣接する領域に導電性を有するコイル状のアンテナ１２２が形成されたインレット１１０と、インレット１１０のＩＣチップ１１１が搭載された面に粘着層１３０ａを介して接着されたオーバーシート１２０と、インレット１１０のＩＣチップ１１１が搭載されていない面に粘着層１３０ｂを介して剥離可能に接着された剥離紙１４０とから構成されている。また、オーバーシート１２０、粘着層１３０ａ，１３０ｂ及びインレット１１０は、折り曲げ可能な折り線１０２を介して互いに隣接する２つの領域１０１ａ，１０１ｂに分割され、インレット１１０においては、その一方の領域１０１ａに、アンテナ１１２が形成されるとともに、ＩＣチップ１１１が搭載されており、また、他方の領域１０１ｂに、アンテナ１２２が形成されている。なお、インレット１１０に形成されたアンテナ１１２とアンテナ１２２とは、互いに電磁誘導が生じ、アンテナ１２２を流れる電流によって生じた磁界によってアンテナ１１２に電流が流れるような領域にそれぞれ形成されている。また、本形態においては、オーバーシート１２０、粘着層１３０ａ，１３０ｂ及びインレット１１０から基材が構成されている。
【００４６】
以下に、上記のように構成された非接触型ＩＣラベルの製造方法について説明する。
【００４７】
図５は、図４に示した非接触型ＩＣラベルの製造方法を説明するための図である。
【００４８】
まず、連続状態の樹脂シート１１４上において、領域１０１ａとなる部分にコイル状のアンテナ１１２を印刷等によって形成するとともに、領域１０１ｂとなる部分にコイル状のアンテナ１２２を印刷等によって形成する（図５（ａ））。
【００４９】
次に、アンテナ１１２，１２２が形成された樹脂シート１１４上に、接点１１３を介してアンテナ１１２と接続されるようにＩＣチップ１１１を搭載し、インレット１１０を完成させる（図５（ｂ））。
【００５０】
次に、インレット１１０の裏面に粘着層１３０ｂを設け、このインレット１１０をオーバーシート１２０と剥離紙１４０とに挟み込むように互いに積層する（図５（ｃ））。なお、この際、オーバーシート１２０のインレット１１０との接着面には粘着層１３０ａを形成し、それにより、オーバーシート１２０とインレット１１０とを接着する。
【００５１】
これにより、インレット１１０がオーバーシート１２０と剥離紙１４０との間に挟み込まれた状態で互いに接着され、領域１０１ａとなる部分においては、アンテナ１１２及びＩＣチップ１１１が設けられ、また、領域１０１ｂとなる部分においては、アンテナ１２２が設けられる（図５（ｄ））。なお、折り線１０２においては、ミシン目加工や切り込み等によって、インレット１１０がオーバーシート１２０と剥離紙１４０との間に挟み込まれた状態で互いに接着された状態で形成することや、オーバーシート１２０及び樹脂シート１１４に予め形成しておくことが考えられる。
【００５２】
その後、互いに接着されたオーバーシート１２０、インレット１１０及び剥離紙１４０を、非接触型ＩＣラベルの幅に断裁する（図５（ｅ））。
【００５３】
上記のように製造された非接触型ＩＣラベルにおいても、第１の実施の形態において示したものと同様に、領域１０１ａを書籍の背表紙に貼付し、さらに、折り線１０２にて折り曲げ、領域１０１ｂを書籍の表紙に貼付すれば、例えば、書籍が本棚に収納された状態等において、書籍の背表紙に情報書込／読出装置のアンテナを対向させた場合においても、また、例えば、書籍が机上に積み重ねられた状態等において、書籍の表紙に情報書込／読出装置のアンテナを対向させた場合においても、情報書込／読出装置からＩＣチップ１１１に情報を書き込んだり、ＩＣチップ１１１に書き込まれた情報を情報書込／読出装置にて読み出したりすることができる。
【００５４】
なお、上述した２つの実施の形態において、オーバーシート２０，１２０、樹脂シート１４，１１４及び粘着層３０ａ，３０ｂ，１３０ａ，１３０ｂを透明な材質から構成し、さらに、アンテナ１２，２２，１１２，１２２を透明導電性薄膜等の透明性導電体から構成すれば、非接触型ＩＣラベルを書籍に貼付した場合においても、書籍の表紙や背表紙に記載された情報が非接触型ＩＣラベルによって隠れてしまうことがなくなる。
【００５５】
また、上述した２つの実施の形態においては、ＲＦ−ＩＤメディアとして非接触型ＩＣラベルを例に挙げて説明したが、本発明は、非接触状態にて情報の書き込み及び読み出しが可能であって、折り線にて折り曲げ可能なものであれば、非接触型ＩＣタグ等についても適用することができる。
【００５６】
【発明の効果】
以上説明したように本発明においては、複数の層が積層されてなる基材と、該基材に互いに電磁誘導が生じるように形成されたコイル状の第１及び第２のアンテナと、第１のアンテナと接続されて基材に搭載され、第１のアンテナを介して非接触状態にて情報の書き込み及び読み出しが行われるＩＣチップとを少なくとも有してなるＲＦ−ＩＤメディアにおいて、基材が、互いに隣接する２つの領域を有し、この２つの領域が互いに異なる方向に向くように折り曲げ可能に構成され、第１のアンテナが、２つの領域のうち一方の領域に形成され、第２のアンテナが、２つの領域のうち他方の領域に形成されている構成としたため、基材を折り曲げ、アンテナが形成された２つの領域が互いに異なる方向に向くように対象物に貼付すれば、ＲＦ−ＩＤメディアが装着された対象物に対してその状況に応じて異なる角度から情報書込／読出装置のアンテナを対向させた場合であっても情報の書き込み及び読み出しを行うことができる。
【００５７】
また、基材が透明な材料から構成され、第１及び第２のアンテナが、透明性導電体で構成されているものにおいては、ＲＦ−ＩＤメディアを書籍等の対象物に貼付した場合においても、対象物に記載された情報がＲＦ−ＩＤメディアによって隠れてしまうことがなくなる。
【００５８】
また、ベース基材上にコイル状の第１のアンテナが形成されるとともに第１のアンテナを介して非接触状態にて情報の書き込み及び読み出しが可能なＩＣチップが搭載されたインレットに、第１のアンテナとの間にて電磁誘導が生じるようなコイル状の第２のアンテナが形成されたオーバーシートが積層されてなるＲＦ−ＩＤメディアの製造方法において、オーバーシートに第２のアンテナを形成する工程と、第２のアンテナが形成されたオーバーシートに対して、第１のアンテナが第２のアンテナと隣接するようにインレットを積層する工程とを順次行うことによりＲＦ−ＩＤメディアを製造するものにおいては、インレットに第２のアンテナを形成する必要がなく、ベース基材上に第１のアンテナが形成されるとともにＩＣチップが搭載されたインレットを汎用的に利用することができる。
【図面の簡単な説明】
【図１】本発明のＲＦ−ＩＤメディアの第１の実施の形態である非接触型ＩＣラベルを示す図であり、（ａ）は内部構造を示す図、（ｂ）は（ａ）に示したＡ−Ａ’断面図である。
【図２】図１に示した非接触型ＩＣラベルの製造方法を説明するための図である。
【図３】図１に示した非接触型ＩＣラベルの作用を説明するための図であり、（ａ）は情報書込／読出装置のアンテナを第１のアンテナが形成された領域に対向させた状態を示す図、（ｂ）は情報書込／読出装置のアンテナを第２のアンテナが形成された領域に対向させた状態を示す図である。
【図４】本発明のＲＦ−ＩＤメディアの第２の実施の形態である非接触型ＩＣラベルを示す図であり、（ａ）は内部構造を示す図、（ｂ）は（ａ）に示したＡ−Ａ’断面図である。
【図５】図４に示した非接触型ＩＣラベルの製造方法を説明するための図である。
【図６】従来の非接触型ＩＣラベルの構造の一例を示す図である。
【図７】図６に示した非接触型ＩＣラベルに対する情報の書き込み及び読み出し動作の原理を説明するための図である。
【図８】図６に示した非接触型ＩＣラベルを情報書込／読出装置のアンテナに対して垂直に配置した場合における非接触型ＩＣラベルに対する情報の書き込み及び読み出し動作の原理を説明するための図である。
【符号の説明】
１ａ，１ｂ，１０１ａ，１０１ｂ    領域
２，１０２    折り線
１０，１１０    インレット
１１，１１１    ＩＣチップ
１２，２２，６０，１１２，１２２    アンテナ
１３，１１３    接点
１４，１１４    樹脂シート
２０，１２０    オーバーシート
３０ａ，３０ｂ，１３０ａ，１３０ｂ    粘着層
４０，１４０    剥離紙
５０    書籍
【図１】
2004318571.tif 000003
【図２】
2004318571.tif 000004
【図３】
2004318571.tif 000005
【図４】
2004318571.tif 000006
【図５】
2004318571.tif 000007
【図６】
2004318571.tif 000008
【図７】
2004318571.tif 000009
【図８】
2004318571.tif 000010